(57)【要約】【課題】本発明は各種音響機器に使用されるスピーカに関するものであり、フレームとプレートの結合強度を強くすることを目的とする。【解決手段】そしてこの目的を達成するために本発明は上部プレート２１とフレーム２２の一方に突起２３、他方にそれが嵌合される孔２４を形成するとともに、前記突起２３の外周には内、外周方向への凹凸２３ａを形成し、前記孔２４の内周には、前記突起２３の凹凸２３ａと嵌合する凸凹２４ａを形成したものである。【選択図】  図１
2004248016.tif 000002
【特許請求の範囲】
【請求項１】
プレートと、このプレートに結合されたフレームと、このフレームに取付けられた振動板とを備え、前記プレートとフレームの結合は、一方の突起を、他方の孔に圧入して結合する構成とし、前記突起の外周には内、外周方向への凹凸を形成し、前記孔の内周には、前記突起の凹凸と嵌合する凸凹を形成したスピーカ。
【請求項２】
突起の凹凸と、孔の凸凹は連続的、または断続的にした請求項１記載のスピーカ。
【請求項３】
プレートは、磁気回路の上部プレートとした請求項１または２記載のスピーカ。
【請求項４】
請求項１から請求項３記載のプレートとフレームの一方の突起を他方の孔に圧入してプレートとフレームを一体化するスピーカの製造方法。
【発明の詳細な説明】
【０００１】
【発明の属する技術分野】
本発明は各種音響機器に使用されるスピーカとその製造方法に関するものである。
【０００２】
【従来の技術】
スピーカのフレームと磁気回路の上部プレートとの接合を、図１３により説明する。
【０００３】
図１３に示すごとく上部プレート１の突起２を、フレーム３の孔４に挿入後、突起２をプレスすることで接合している。
【０００４】
また突起２の外周に凹凸を設けて孔４に圧入したものもある（例えば特許文献１参照）。
【０００５】
【特許文献１】
実開昭６３−７０７９０号公報
【０００６】
【発明が解決しようとする課題】
しかしながら、上述のスピーカは、フレーム３の孔４と上部プレート１の突起２のクリアランスが大きいため、がたつきが生じるものであった。また突起２の外周に凹凸を設けて孔４に圧入すればがたつきは生じなくなるが、突起２の外周にのみ凹凸を設けた場合には、凸部だけが孔４の内周に圧接しているだけの状態になるので、圧接面積が小さく、強度が低くなるという問題があった。
【０００７】
そこで本発明はこのプレートとフレームの結合部分の強度を高めることを目的とするものである。
【０００８】
【課題を解決するための手段】
そしてこの目的を達成するために本発明はプレートとフレームの一方に突起、他方にそれが嵌合される孔を形成するとともに、前記突起の外周には内、外周方向への凹凸を形成し、前記孔の内周には、前記突起の凹凸と嵌合する凸凹を形成したものである。
【０００９】
そしてこの様な構成とすれば、突起と孔はそれぞれの一方に設けた凹凸が、他方に設けた凸凹と圧接嵌合することになるので、圧接面積が大きく、強度の強いものとなる。
【００１０】
【発明の実施の形態】
以下、本発明の実施の形態について図面を用いて説明する。
【００１１】
（実施の形態１）
以下、実施の形態１を用いて、本発明の特に請求項１〜４に記載の発明について説明する。
【００１２】
図１に示すスピーカは、突起２３を有した上部プレート２１と、孔２４を有したフレーム２２とで構成されている。このうち上部プレート２１は磁気回路を構成するもので、図示していないが下方には磁石と下部プレートが位置する。またフレーム２２の上面側には図示していないが振動板が設けられている。
【００１３】
上部プレート２１の突起２３の外周と、フレーム２２の孔２４の内周には、それぞれが嵌合する内、外周方向への凹凸２３ａ、凸凹２４ａを形成している。そして、突起２３をフレーム２２の孔２４に挿入加圧する際に、突起２３の凹凸２３ａと孔２４の凸凹２４ａとを圧入嵌合させることで位置決めも同時に行い、上部プレート２１とフレーム２２とを結合している。また、突起２３の凹凸２３ａと、孔２４の凸凹２４ａの嵌合であるので、接合、接触面積を広く設定できるので、フレーム２２と上部プレート２１間で十分な結合強度を得ることができる。なお、突起２３の凹凸２３ａと、孔２４の凸凹２４ａはそれぞれ歯車のような連続的な形状となっているが、図２のごとく凹凸２３ｂと凸凹２４ｂを断続的にしても良い。
【００１４】
（実施の形態２）
以下、実施の形態２を用いて、本発明の特に請求項１〜４に記載の発明について説明する。
【００１５】
図３に示すものは、上部プレート２１上に段状の突起２６を設け、突起２６外周に凹凸２６ａとフレーム２２の孔２４の内周には、それに圧入嵌合する凸凹２４ｂを形成している。これらの凹凸２６ａと凸凹２４ｂは歯車のごとくほぼ連続的に形成されているが、図４のごとく凹凸２６ｂと凸凹２４ｂを断続的なものとしても良い。
【００１６】
（実施の形態３）
以下、実施の形態３を用いて、本発明の特に請求項１〜４に記載の発明について説明する。
【００１７】
図５に示すものは段状の突起２６を６個に分断し、各個片の内、外に凹凸２６ｃを設けている。またフレーム２２の孔２４も内、外の二重とし、そこに凸凹２４ｃを設けている。そしてこれら凹凸２６ｃと凸凹２４ｃを圧入嵌合するようにしている。
【００１８】
図６に示すものは図５に比べて凹凸２６ｃと凸凹２４ｃを少なくしたものである。
【００１９】
（実施の形態４）
以下、実施の形態４を用いて、本発明の請求項１〜４に記載の発明について説明する。
【００２０】
図７に示すものは、上部プレート２６自体の外形形状を図３の突起２６と同じものにしたものである。また図８のものは上部プレート２６自体の外形形状を図４の突起２６と同じものにしたものである。
【００２１】
（実施の形態５）
以下、実施の形態５を用いて、本発明の請求項１〜４に記載の発明について説明する。
【００２２】
図９に示すものは図８のものにおいてフレーム２２の孔２４の凸凹２４ｂを形成するのに、孔２４の周縁を断続的に切り起こして折り返し部２５を設けたものである。
【００２３】
（実施の形態６）
以下、実施の形態６を用いて、本発明の請求項１〜４に記載の発明について説明する。
【００２４】
図１０に示すものは、図４に示すものにおいて突起２６の外周にさらに４個の突起２６ｄを設け、フレーム２２にはそれが圧入嵌合される孔２４ｄを設けたものである。
【００２５】
（実施の形態７）
以下、実施の形態７を用いて、本発明の請求項１〜４に記載の発明について説明する。
【００２６】
図１１に示すものは図１に示す突起２３を孔２４に圧入嵌合後、孔２４上方への突出部を、Ｖポンチで外方に広げ、フレーム２２の底部の上面とで挟み込み、結合強度をさらに増大させる。
【００２７】
（実施の形態８）
以下、実施の形態８を用いて、本発明の請求項１〜４に記載の発明について説明する。
【００２８】
本実施の形態８は、実施の形態１〜７においてフレーム２２と上部プレート２１を結合させる際に、フレーム２２と上部プレート２１の間に接着剤を塗布し、結合するものである。
【００２９】
（実施の形態９）
以下、実施の形態９を用いて、本発明の請求項１〜４に記載の発明について説明する。
【００３０】
図１２に示すものは、上部プレート２１の下方に、マグネット３０および下部プレート３１を結合して磁気回路３２を構成している。この磁気回路３２の上部プレート２１に結合されたフレーム２２の上面周縁部に振動板３６下面周縁部を接着している。この振動板３６の下面中央部に結合されたボイスコイル３４の下部を、上記磁気回路３２の磁気ギャップ３３に位置させることで、スピーカ４０を構成している。なお３５はボイスコイル３４の中部を保持したダンパーである。
【００３１】
【発明の効果】
以上のように本発明はプレートとフレームの一方に突起、他方にそれが嵌合される孔を形成するとともに、前記突起の外周には内、外周方向への凹凸を形成し、前記孔の内周には、前記突起の凹凸と嵌合する凸凹を形成したものである。
【００３２】
そしてこの様な構成とすれば、突起と孔はそれぞれの一方に設けた凹凸が、他方に設けた凸凹と圧接嵌合することになるので、圧接面積が大きく、強度の強いものとなる。
【図面の簡単な説明】
【図１】（ａ）（ｂ）は本発明の一実施形態のスピーカの分解斜視図と拡大分解斜視図
【図２】（ａ）（ｂ）は本発明の他の実施形態のスピーカの分解斜視図と拡大分解斜視図
【図３】本発明の他の実施形態のスピーカの分解斜視図
【図４】本発明の他の実施形態のスピーカの分解斜視図
【図５】本発明の他の実施形態のスピーカの分解斜視図
【図６】本発明の他の実施形態のスピーカの分解斜視図
【図７】本発明の他の実施形態のスピーカの分解斜視図
【図８】本発明の他の実施形態のスピーカの分解斜視図
【図９】本発明の他の実施形態のスピーカの分解斜視図
【図１０】本発明の他の実施形態のスピーカの分解斜視図
【図１１】（ａ）（ｂ）は本発明の他の実施形態のスピーカの断面図と拡大断面図
【図１２】本発明の他の実施形態のスピーカの断面図
【図１３】従来のスピーカの分解斜視図
【符号の説明】
２１  上部プレート
２２  フレーム
２３  突起
２４  孔
【図１】
2004248016.tif 000003
【図２】
2004248016.tif 000004
【図３】
2004248016.tif 000005
【図４】
2004248016.tif 000006
【図５】
2004248016.tif 000007
【図６】
2004248016.tif 000008
【図７】
2004248016.tif 000009
【図８】
2004248016.tif 000010
【図９】
2004248016.tif 000011
【図１０】
2004248016.tif 000012
【図１１】
2004248016.tif 000013
【図１２】
2004248016.tif 000014
【図１３】
2004248016.tif 000015